(57)【要約】【課題】過激な震動を受けた場合でも建築物の倒壊を確実に抑制できる耐震建築物用スライド式アンカーを提供する。【解決手段】  複数の緩衝手段を介して下部構造と上部構造とが連結する建築構造において、複数の緩衝手段が、隣接する緩衝手段の間に一定の隙間を形成するように設けられ、隙間に設けるスライド式アンカーであって、下部構造に連結する第１レールセットと、第１レールセット上に摺動自在に設けられ、第１レールセットを第１方向に移動させるレールガイドセットと、上部構造に連結し、かつレールガイドセット上に摺動自在に設けられ、第１方向と直交する第２方向に移動する第２レールセットによって構成する。【選択図】  図１
2008057291.tif 000002
【特許請求の範囲】
【請求項１】
複数の緩衝手段を介して下部構造と上部構造とが連結する建築構造において、該複数の緩衝手段が、隣接する緩衝手段の間に一定の隙間を形成するように設けられ、該隙間に設けるスライド式アンカーであって、
該下部構造に連結する第１レールセットと、
該第１レールセット上に摺動自在に設けられ、該第１レールセットを第１方向に移動させるレールガイドセットと、
該上部構造に連結し、かつ該レールガイドセット上に摺動自在に設けられ、該第１方向と直交する第２方向に移動する第２レールセットとを含んでなり、
該建築構造が外部からの震動を受けて、該緩衝手段の位置がずれた場合、震動のエネルギーを吸収して該緩衝手段の位置のずれが継続して進行することを防ぐように構成することを特徴とする耐震建築物用スライド式アンカー。
【請求項２】
前記第１レールセットと、レールガイドセットと、第２レールセットとが、互いに垂直方向の移動を制限することを特徴とする請求項１に記載の耐震建築物用スライド式アンカー。
【請求項３】
前記レールガイドセットが、該第１レールセットに対応する下スライドを形成することを特徴とする請求項１に記載の耐震建築物用スライド式アンカー。
【発明の詳細な説明】
【技術分野】
【０００１】
この発明は耐震構造を有する建築物に関し、特に緩衝手段を介して上部構造と下部構造とが連結する建築物の耐震構造に用いる耐震建築物用スライド式アンカーに関する。
【背景技術】
【０００２】
建築構造に好ましい耐震性を付与するためには、通常構造物本体と基礎との間に震動を吸収する緩衝手段を設ける。係る緩衝手段は鋼板と、ゴムとを積層してなり、好ましい弾性付勢力を具える。よって、構造物本体と地面とを隔離して一部の震動エネルギーを吸収することによって、震動が建築物に与える衝撃を緩和する作用を有する。
【０００３】
に、従来の緩衝手段を採用した建築構造は、好ましい耐震性を有する。但し、緩衝手段自身の強度には、やはり限りがある。このため、建築構造が過激な震動を受けた場合、該緩衝手段が局部的に破壊し、本来の弾性を失う恐れがある。この場合、建築構造と基礎とが分離して、建築構造が傾倒する危険性が発生する。
【発明の開示】
【発明が解決しようとする課題】
【０００４】
この発明は、緩衝手段を介して上部構造と下部構造とが連結する建築物の耐震構造において、該緩衝手段が外部からの過激な震動によって位置のずれが発生し、建築物の倒壊を招くような事態が発生しないように抑制できる構造であって、過激な震動を受けた場合でも建築物の倒壊を確実に抑制できる耐震建築物用スライド式アンカーを提供することを課題とする。
【課題を解決するための手段】
【０００５】
そこで、本発明者は従来の技術に見られる欠点に鑑み鋭意研究を重ねた結果、複数の緩衝手段を介して下部構造と上部構造とが連結する建築構造において、該複数の緩衝手段が、隣接する緩衝手段の間に一定の隙間を形成するように設けられ、該隙間に設けるスライド式アンカーであって、該下部構造に連結する第１レールセットと、該第１レールセット上に摺動自在に設けられ、該第１レールセットを第１方向に移動させるレールガイドセットと、該上部構造に連結し、かつ該レールガイドセット上に摺動自在に設けられ、該第１方向と直交する第２方向に移動する第２レールセットとを含んでなる耐震建築物用スライド式アンカーによって課題を解決できる点に着眼し、かかる知見に基づいて本願発明を完成させた。
【０００６】
以下、この発明について具体的に説明する。
請求項１に記載する耐震建築物用スライド式アンカーは、複数の緩衝手段を介して下部構造と上部構造とが連結する建築構造において、該複数の緩衝手段が、隣接する緩衝手段の間に一定の隙間を形成するように設けられ、該隙間に設けるスライド式アンカーであって、
該下部構造に連結する第１レールセットと、
該第１レールセット上に摺動自在に設けられ、該第１レールセットを第１方向に移動させるレールガイドセットと、
該上部構造に連結し、かつ該レールガイドセット上に摺動自在に設けられ、該第１方向と直交する第２方向に移動する第２レールセットとを含んでなる。
【０００７】
かかるスライド式アンカーは、該建築構造が外部からの震動を受けて、該緩衝手段の位置がずれた場合、震動のエネルギーを吸収して該緩衝手段の位置のずれが継続して進行することを防ぐ作用を有する。
【０００８】
請求項２に記載するスライド式アンカーは、請求項１における記第１レールセットと、レールガイドセットと、第２レールセットとが、互いに垂直方向の移動を制限する。
【０００９】
請求項３に記載する耐震建築物用スライド式アンカーは、請求項１におけるレールガイドセットが、該第１レールセットに対応する下スライドを形成する。
【発明の効果】
【００１０】
この発明によるスライド式アンカーは、緩衝手段を介して上部構造と下部構造とが連結する建築物の耐震構造において、該緩衝手段が外部からの過激な震動によって位置のずれが発生した場合、該緩衝手段の位置のずれがさらに進行することを防ぐ。このため、建築物の倒壊を招くような事態が発生しないように抑制することができ、建築物の地震などによる震動に対する安全性を高めることができるという利点を有する。
【発明を実施するための最良の形態】
【００１１】
この発明は、地震などによって発生する地表の震動のエネルギーを吸収して建築構造の倒壊を防ぐための建築物の耐震構造において、上部構造と下部構造との間に介在させる緩衝手段過激な震動によって位置がずれ、建築物の倒壊を招くような事態を防ぐためのスライド式アンカーを提供するものであって、複数の緩衝手段を介して下部構造と上部構造とが連結する建築構造において、該複数の緩衝手段が、隣接する緩衝手段の間に一定の隙間を形成するように設けられ、該隙間に設けるスライド式アンカーであって、建築物の下部構造に連結する第１レールセットと、該第１レールセット上に摺動自在に設けられ、該第１レールセットを第１方向に移動させるレールガイドセットと、建築物の上部構造に連結し、かつ該レールガイドセット上に摺動自在に設けられ、該第１方向と直交する第２方向に移動する第２レールセットとを含み構成される。
係るスライド式アンカーの特徴を詳述するために、具体的な実施例を挙げ、図面を参照にして以下に説明する。
【実施例】
【００１２】
図１には、この発明による耐震建築物用スライド式アンカーを設けた建築物の構造を示した説明図である。図面によれば、建築物の耐震構造２００は、建築構造２１０と少なくとも１以上のスライド式アンカー４００とを含む。建築構造２１０は、複数の緩衝手段３００を介して連結する上部構造２２０と下部構造２３０を含む。緩衝手段３００は鋼板とゴムとを積層してなり、かつ鉛の芯を内部に有する。
【００１３】
図１に開示するように、下部構造２３０は、スラブ２３２と、複数の支柱２３３とを具える基礎構造２３１である。
【００１４】
緩衝手段３００は上部構造２２０と基礎構造２３１との間に設けられ、隣接する緩衝手段３００間に隙間２４０を形成するように設ける。但し、上部構造２２０の各階の間にも設けてよい。
【００１５】
図１に開示するように、緩衝手段３００はある程度の延伸性を有しているので、耐震構造２００が震動を受けた場合、緩衝手段３００が水平方向に位置がずれることによって、震動のエネルギーが部分的に吸収される。しかしながら、震動が過激であって、緩衝手段３００の位置のずれが継続して進行した場合、建築構造２１０が倒壊する恐れがある。そこで、本発明のスライド式アンカー４００によって緩衝手段３００の位置のずれの進行を防ぐ。
【００１６】
スライド式アンカー４００は図１に開示するように隙間２４０に設けられ、上部構造２２０と下部構造２３０とに接続する。但し、上部構造２２０の各階の間に緩衝手段３００を設ける場合、アンカースライド手段４００は、上下それぞれの階の建築構造に接続する。
【００１７】
図２ａに開示するように、スライド式アンカー４００は、第１レールセット４１０と、第１レールセット４１０上に摺動自在に設けるレールガイドセット４２３と、レールガイドセット４２３上に摺動自在に設ける第２レールセット４３０とを具える。
【００１８】
また、第１レールセット４１０と、レールガイドセット４２３と、第２レールセット４３０には、それぞれ潤滑油か、もしくはその他高粘着係数の油脂を塗布する。
【００１９】
第１レールセット４１０は平行して設けられる２本のベースレールによってなる。該ベースレールは、断面がＴ字状を呈し、レールガイドセット４２３に接触する接触部４４０をそれぞれ具る。但し、断面が長方形を呈するか、もしくはその他形状を呈するものであってもよい。
【００２０】
レールガイドセット４２３は平行に設けられる２本のレールガイドによってなり、かつ該２本のレールガイドが第１レールセット４１０の該ベースレールに直交する方向に設けられる。該レールガイドの底面で該第１レールセット２３０の２本のベースレールに対応する位置には、該ベースレールの接触部４４０の形状に沿った下部スライド溝４２１を形成する。また、上面には、長手方向の一方の端縁部から他方の端縁部に至る上部スライド溝４２２を形成する。上部スライド溝４２２は断面が接触部４４０の形に沿った形状を呈する。
【００２１】
第２レールセット４３０は平行に設けられる２本のトップレールによってなり、かつ該２本のトップレールがレールガイドセット４２３のレールガイドに直交する方向に設けられ、底面には第２レールセットの上部スライド溝４２２に対応する接触部４４０を形成する。実施例では、第２レールセット４３０の接触部４４０は第１レールセット４１０のベースレールと同様であって、Ｔ字状を呈する。但し、同様に断面が長方形を呈するか、もしくはその他形状を呈するものであってもよい。
【００２２】
上述する第１レールセット４１０とレールガイドセット４２３と第２レールセットとを組み合わせる場合、第１レールセット４１０を構成するベースレールの接触部４４０がレールガイドセット４２３を構成するレールガイドの下部スライド溝４２１に嵌挿されて、レールガイドセット４２３が図３に開示する第１方向５００の方向に自在に摺動するよう設けられる。また、第２レールセット４３０を構成するトップレールの接触部４４０はレールガイドの上部スライド溝４２２に嵌挿されて、第２レールセット４３０が図４に開示する第２方向６００の方向に自在に摺動するよう設けられる。
【００２３】
また、第１レールセット４１０は、下部構造２３０に埋設する。即ち、予め設置する位置に設け、コンクリートを流し込んで下部構造２３０を形成する場合に、下部構造２３０と一体にする。但し、下部構造２３０にベースレールを連結するための連結手段を設け、通常のアンカーを用いるか、嵌挿するか、螺着するか、もしくは溶接などの方式で第１レールセットのベースレールを該連結手段に接続してもよい。
【００２４】
また、第２レールセット４３０は上部構造２２０に埋設ける。即ち、予め設置する位置に設け、コンクリートを流し込んで上部構造２２０を形成する場合に、上部構造２２０と一体にする。但し、上部構造２２０にトップレールを連結するための連結手段を設け、通常のアンカーを用いるか、嵌挿するか、螺着するか、もしくは溶接などの方式で第１レールセットのベースレールを該連結手段に接続してもよい。
【００２５】
上述する構成によって、第１レールセット４１０が移動する場合は、第１方向５００の方向に移動し、第３レールセット４３０が移動する場合は、第２方向６００の方向に移動する。よって、建築構造が外部からの震動を受けて、該緩衝手段の位置がずれた場合、震動のエネルギーを吸収して該緩衝手段の位置のずれが継続して進行することを防ぐことができ、建築物の倒壊を防止することができる。第１方向５００に沿って移動する面と第２方向６００に沿って移動する面は平行していて、かつ第１方向５００と第２方向６００は直交する。
【００２６】
また、レールガイドセット４２３は、図２ｂに開示するように枠状に形成し、上述する実施形態と同様に下部スライド溝４２１と上部スライド溝４２２を形成してもよい。この場合、枠状に形成したレールガイドセット４２３に油圧の位置復帰手段（図示しない）を設ける。よって、第１レールセット４１０が外部からの力を受けて移動すると、該位置復帰装置がレールガイドセット４２３に一方の方向から支持力を与えて第１レールセット４１０を本来の位置に復帰させることができる。同様に、第２レールセット４３０が外部からの力を受けて移動すると、該位置復帰装置がレールガイドセット４２３に一方の方向から支持力を与えて第２レールセット４２３を本来の位置に復帰させることができる。
【００２７】
以上はこの発明の好ましい実施例であって、この発明の実施の範囲を限定するものではない。よって、当業者のなし得る変更、もしくは修正であって、この発明の精神の下においてなされ、かつこの発明に対して均等の効果を有するものは、いずれもこの発明の特許請求の範囲に属するものとする。
【図面の簡単な説明】
【００２８】
【図１】この発明によるスライド式アンカーを設けた耐震構造の構造を示した説明図である。
【図２ａ】この発明によるスライド式アンカーの分解図である。
【図２ｂ】他の実施形態にスライド式アンカーの分解図である。
【図３】この発明によるスライド式アンカーの動作を示した説明図である。
【図４】この発明によるスライド式アンカーの他の動作を示した説明図である。
【符号の説明】
【００２９】
２２０        耐震構造
２１０        建築構造
２２０        上部構造
２３０        下部構造
２３１        基礎構造
２３２        スラブ
２３３        支柱
３００        緩衝手段
４００        スライド式アンカー
４１０        第１レールセット
４２１        下部スライド溝
４２２        上部スライド溝
４２３        ガイドレールセット
４３０        第２レールセット
４４０        接触部
５００        第１方向
６００        第２方向
【図１】
2008057291.tif 000003
【図２ａ】
2008057291.tif 000004
【図２ｂ】
2008057291.tif 000005
【図３】
2008057291.tif 000006
【図４】
2008057291.tif 000007